(57)【要約】【課題】簡単な構造で、複数枚の台紙レスラベルをラベル長方向（ラベル搬送方向）に所定距離だけずらして重ねてラベル発行可能なラベル発行装置を提供する。【解決手段】ラベル発行装置は、一方の面に粘着面、他方の面に印字面を有する台紙レスラベル用紙を送り出し、切断部により枚葉状に切断して台紙レスラベルを発行する。このラベル発行装置は、枚葉状の台紙レスラベルをラベル発行口から発行するラベル発行部と、ラベル発行口から発行された台紙レスラベルを１つ又は複数載置可能に構成され、載置された台紙レスラベルをラベル搬送方向に沿って搬送可能な搬送部と、前記搬送部に載置された台紙レスラベルの次に発行される台紙レスラベルの一部分が、前記搬送部上に最後に載置された台紙レスラベルに重なるように、前記搬送部上の台紙レスラベルを、前記搬送部により搬送する制御を行う制御部とを有する。【選択図】図８
2019171711.tif 000002
【特許請求の範囲】
【請求項１】
一方の面に粘着面、他方の面に印字面を有する台紙レスラベル用紙を送り出し、切断部により枚葉状に切断して台紙レスラベルを発行するラベル発行装置であって、
枚葉状の台紙レスラベルをラベル発行口から発行するラベル発行部と、
前記ラベル発行口から発行された台紙レスラベルを１つ又は複数載置可能に構成され、載置された台紙レスラベルをラベル搬送方向に沿って搬送可能な搬送部と、
前記搬送部に載置された台紙レスラベルの次に発行される台紙レスラベルの一部分が、前記搬送部上に最後に載置された台紙レスラベルに重なるように、前記搬送部上の台紙レスラベルを、前記搬送部により搬送する制御を行う制御部と、
を有することを特徴とするラベル発行装置。
【請求項２】
前記制御部は、前記搬送部に載置された台紙レスラベルの次に発行される台紙レスラベルの一部分が、前記搬送部上に最後に載置された台紙レスラベルに重なるように、前記搬送部上の台紙レスラベルをラベル搬送方向に対して逆方向に搬送する制御を行うことを特徴とする請求項１に記載のラベル発行装置。
【請求項３】
前記搬送部は、前記ラベル搬送方向の下流側端部に、前記載置されている台紙レスラベルを、前記搬送部の搬送面から離間させる離間部を有することを特徴とする請求項１または請求項２に記載のラベル発行装置。
【請求項４】
前記離間部は、前記搬送部の搬送面よりも上方に突出した形状に形成されていることを特徴とする請求項３に記載のラベル発行装置。
【請求項５】
前記搬送部の搬送面の載置部は、前記ラベル発行部のラベル発行口よりも下方に配置されており、
前記ラベル発行部から排紙された台紙レスラベルを、前記搬送部の搬送面に案内する案内部を有することを特徴とする請求項１から請求項４の何れか１項に記載のラベル発行装置。
【請求項６】
前記案内部は、前記ラベル発行部の前記ラベル発行口からラベル発行方向に離れた位置に、前記ラベル発行口と略同じ高さに位置する上端部からラベル搬送方向下流側へ下方に傾斜した傾斜部と、前記傾斜部の下端部から、前記搬送部のラベル搬送方向の下流側へ水平に延出した延出部と、を有し、
前記案内部は、前記延出部が前記搬送部に対して僅かに離間した状態で、当該延出部及び傾斜部が、前記ラベル搬送方向に直交する水平軸に回転自在に軸支されていることを特徴とする請求項５に記載のラベル発行装置。
【請求項７】
前記制御部は、所定の条件に応じて、前記搬送部上の複数の台紙レスラベルの重畳部分の、ラベル搬送方向の距離を調整するように、前記搬送部による台紙レスラベルの搬送方向及び搬送速度を制御することを特徴とする請求項１から請求項６の何れか１項に記載のラベル発行装置。
【請求項８】
前記所定の条件は、少なくとも、発行される台紙レスラベルのラベル長、台紙レスラベルの発行枚数、台紙レスラベルの重なりのズレ量の何れかであることを特徴とする請求項７に記載のラベル発行装置。
【請求項９】
前記ラベル発行部のラベル発行口から、ラベル発行方向下流側に所定距離だけ離れた位置に、台紙レスラベルを検出するラベル検出部を有し、
前記制御部は、前記ラベル検出部による前記台紙レスラベルの検出結果に応じて、前記搬送部による台紙レスラベルの搬送の方向、搬送速度の少なくとも何れか一方を制御することを特徴とする請求項１から請求項８の何れか１項に記載のラベル発行装置。
【発明の詳細な説明】
【技術分野】
【０００１】
本発明は、ラベル発行装置に関する。
【背景技術】
【０００２】
従来の台紙付きラベルを発行する台紙付きラベル発行装置では、ラベルが台紙に弱く貼り付いた状態であるため、１枚発行や複数枚発行が可能であった。詳細には、台紙付きラベル発行装置は、複数枚ラベルを発行し、その複数枚のラベルを重ねて保持した場合であっても、ラベル同士が貼り付かない。
【０００３】
また、台紙レスラベルを発行するラベル発行装置が知られている（例えば、特許文献１参照）。
【先行技術文献】
【特許文献】
【０００４】
【特許文献１】特開２０１２−０３０４４５号公報
【特許文献２】特開２００４−０５９３１０号公報
【発明の概要】
【発明が解決しようとする課題】
【０００５】
しかしながら、特許文献１に記載のラベル発行装置では、複数枚の台紙レスラベルの連続発行ができないという問題があった。また、例えば、複数枚台紙レスラベルを発行した場合、台紙レスラベルの発行不良、台紙レスラベルが床や台などに落ちて貼りついてしまう、業務に支障をきたす等の問題があった。
【０００６】
また、特許文献２には、連続で発行された枚葉状の台紙レスラベルを、回転する台座またはロール軸の外形に沿って重ねて載置する装置が開示されている。しかしながら、この台紙レスラベル載置装置では、重ねて載置されているラベルを一枚一枚取り外すのに非常に手間が掛かる。
【課題を解決するための手段】
【０００７】
本発明のラベル発行装置は、以下の構成を少なくとも具備するものである。
一方の面に粘着面、他方の面に印字面を有する台紙レスラベル用紙を送り出し、切断部により枚葉状に切断して台紙レスラベルを発行するラベル発行装置であって、
枚葉状の台紙レスラベルをラベル発行口から発行するラベル発行部と、
前記ラベル発行口から発行された台紙レスラベルを１つ又は複数載置可能に構成され、載置された台紙レスラベルをラベル搬送方向に沿って搬送可能な搬送部と、
前記搬送部に載置された台紙レスラベルの次に発行される台紙レスラベルの一部分が、前記搬送部上に最後に載置された台紙レスラベルに重なるように、前記搬送部上の台紙レスラベルを、前記搬送部により搬送する制御を行う制御部と、を有することを特徴とする。
【発明の効果】
【０００８】
簡単な構造で、複数枚の台紙レスラベルをラベル長方向（ラベル搬送方向）に所定距離だけずらして重ねてラベル発行可能なラベル発行装置を提供する。また、ずらして重ねて発行された複数枚の台紙レスラベルをラベル発行装置の搬送部から取り易いラベル発行装置を提供する。また、重ねて発行された複数枚の台紙レスラベルは、１枚ずつ取りやすい。
【図面の簡単な説明】
【０００９】
【図１】本発明の一実施形態に係るラベル発行装置の一例を示す、右斜め上方向からの斜視図。
【図２】ラベル発行装置の一例を示す、左斜め上方向からの斜視図。
【図３】ラベル発行装置の一例を示す上面図。
【図４】ラベル発行装置の一例を示す正面図。
【図５】図４のＡ−Ａ線に沿った断面図。
【図６】ラベル発行装置の動作の一例を示す図、（ａ）はラベル発行装置の本体部のケース内にカッタユニットなどを収容した状態の一例を示す図、（ｂ）はラベル発行装置の本体部のケースから可動部を引き出した状態の一例を示す図。
【図７】本発明の一実施形態に係るラベル発行装置の電気的な機能ブロックの一例を示す図。
【図８】ラベル発行装置の動作の一例を説明するための図、（ａ）は印字時の動作の一例を示す図、（ｂ）はラベル搬送部によりラベルが載置された状態の一例を示す図、（ｃ）はラベル搬送部によりラベル搬送方向に対して逆方向（バックフィード方向）にラベルを搬送し、次に発行されるラベルの先端部が当接した状態の一例を示す図、（ｄ）はラベル搬送部にずらして重畳された複数のラベルが載置された状態の一例を示す図。
【図９】ラベル発行装置の動作の一例を説明するためのフローチャート。
【図１０】本発明の一実施形態に係るラベル発行装置による、ラベル長方向（ラベル搬送方向）に所定距離だけずらして重ねられた複数枚の台紙レスラベルの一例を示す図。
【発明を実施するための形態】
【００１０】
本発明の実施形態に係るラベル発行装置は、一方の面に粘着面、他方の面に印字面を有する台紙レスラベル用紙を送り出し、切断部により枚葉状に切断して台紙レスラベルを発行する。このラベル発行装置は、枚葉状の台紙レスラベルをラベル発行口から発行するラベル発行部と、ラベル発行口から発行された台紙レスラベルを１つ又は複数載置可能に構成され、載置された台紙レスラベルをラベル搬送方向に沿って搬送可能な搬送部と、搬送部に載置された台紙レスラベルの次に発行される台紙レスラベルの一部分が、搬送部上に最後に載置された台紙レスラベルに重なるように、搬送部上の台紙レスラベルを、搬送部により搬送する制御を行う制御部とを有する。
【００１１】
以下、本発明の実施形態に係るラベル発行装置を、図面を参照しながら説明する。本発明の実施形態は図示の内容を含むが、これのみに限定されるものではない。尚、以後の各図の説明で、既に説明した部位と共通する部分は同一符号を付して重複説明を一部省略する。
【００１２】
図１〜図６等に示す、本発明の実施形態に係るラベル発行装置１は、ロール状に巻回された台紙レスラベル用紙を繰り出して枚葉状に切断して媒体（ラベル）を発行する。詳細には、ラベル発行装置１は、本体部１ａに印字機構部３やカッタユニット４（切断部を有する）などを有する。ラベル発行部３０は印字機構部３や切断部などを有する。本実施形態では、ラベル発行装置は、台紙レスラベル用紙に、印字部により商品情報等の印字データを印字して、印字データの量に応じた長さ（ラベル搬送方向の長さ）に切断部としてのカッタユニット４により台紙レスラベル用紙を切断することで、いわゆる可変長の台紙レスラベルを発行する。台紙レスラベルは、一方の面に粘着面、他方の面に印字面を有する。本実施形態では、ラベル発行装置１のラベル発行口１０９には、ラベル搬送部２００が設けられており、台紙レスラベルの印字面が上面に、粘着面が下面に位置するように、台紙レスラベルを保持する。また、ラベル搬送部２００は、ラベル発行口１０９から排紙される台紙レスラベルを、ラベル搬送方向に所定距離だけずれて重なるように複数の台紙レスラベルを保持する。
【００１３】
詳細には、ラベル発行装置１の本体部１ａの上部には、表示入力部５が設けられている。表示入力部５は、液晶表示装置や有機ＥＬ表示装置などの表示部９ｂ、タッチパネル９ａ、キーボードなどの操作部７（キー操作部）を有する。ラベル発行装置１の本体部１ａには印字機構部３が設けられており、印字機構部３は印字項目を含む印字データに応じて印字ヘッドにより台紙レスラベル用紙に印字を行う。
【００１４】
上記ラベル搬送部２００は、ラベル発行口１０９の近傍位置（ラベル発行口１０９の下方）に配置されている。ラベル搬送部２００は、ラベル発行口１０９から発行された台紙レスラベルを１つ又は複数載置可能に構成され、載置された台紙レスラベルをラベル搬送方向に沿って順方向又は逆方向に搬送可能に構成されている。
本実施形態では、ラベル搬送部２００は、ラベル搬送方向に沿って設けられた一対のベルトコンベア２００Ａ、２００Ｂを有し、ベルトコンベア２００Ａ、２００Ｂが所定距離だけ離れて配置されている。ベルトコンベア２００Ａ，２００Ｂはそれぞれ、規定距離だけ離れて平行配置された駆動ローラ２０１、従動ローラ２０２と、その駆動ローラ２０１、従動ローラ２０２に巻回された無端状ベルト２０３，２０３を有する。無端状ベルト２０３，２０３の上面の載置面（搬送面２００ｐ）には、台紙レスラベルが載置される。なお、無端状ベルトは１本であってもよい。
また、ラベル搬送部２００は、制御部により駆動制御される駆動モータ２０５や動力伝達機構２０４を有する。駆動モータ２０５の回転力は、動力伝達機構２０４を介して駆動ローラ２０１に伝達される。
【００１５】
なお、本実施形態では、ラベル搬送部２００の横幅（ラベル搬送方向に対して直交する方向の長さ（水平面内の長さ））は、台紙レスラベルＬのラベル幅よりも短くなるように形成されている。
また、ラベル搬送部２００は、ラベル搬送方向の下流側端部に、載置面（搬送面２００ｐ）に載置されている台紙レスラベルを、ラベル搬送部２００の搬送面から離間させる離間部２５０を有する。この離間部２５０は、ラベル搬送部２００の搬送面２００ｐよりも上方に突出した形状に形成されている。本実施形態では、離間部２５０は、無端状ベルト２０３，２０３のラベル搬送方向の下流側端部の間に配置されている。
なお、ラベル搬送部２００の無端状ベルトが１本の場合、その無端状ベルトの左右どちらかに離間部２５０が配置されていてもよい。
【００１６】
また、ラベル搬送部２００の無端状ベルト２０３，２０３、動力伝達機構２０４の外装（ケース）、駆動モータ２０５の外装（ケース）、離間部２５０などの表面は、非粘着性を有するように形成されており（例えば、非粘着部が形成されており）、台紙レスラベルの粘着面に接着しないように構成されている。本実施形態では、非粘着部は、フッ素樹脂などの非粘着性材料により形成されているが、この実施形態に限られるものではない。
【００１７】
また、本発明の実施形態に係るラベル発行装置１の搬送部（ラベル搬送部２００）の搬送面２００ｐの載置部は、ラベル発行部（印字機構部３）のラベル発行口１０９よりも下方に配置されている。また、ラベル発行部（印字機構部３）から排紙された台紙レスラベルを、ラベル搬送部２００の搬送面２００ｐ（載置部）に案内する案内部２６０を有する。
この案内部２６０は、ラベル発行部３０のラベル発行口１０９からラベル発行方向に離れた位置に、ラベル発行口１０９と略同じ高さに位置する上端部からラベル搬送方向下流側へ下方に傾斜した傾斜部２６１と、傾斜部２６１の下端部から、ラベル搬送部２００のラベル搬送方向の下流側へ水平に延出した延出部２６２と、を有する。案内部２６０は、延出部２６２が搬送部（ラベル搬送部２００）に対して僅かに離間した状態で、当該延出部２６２及び傾斜部２６１が、ラベル搬送方向に直交する水平軸部２６５に回転自在に軸支されている。
【００１８】
また、ラベル発行装置１は、本体部１ａに制御装置を有する。制御装置は、図７に示したように、制御部１１（ＣＰＵ）、ホストコンピュータなどのコンピュータと通信を行う通信部１２、記憶部１３（ＲＡＭ、ＲＯＭなど）を有する。制御部１１は、表示入力部５（タッチパネル９ａ、表示部９ｂ、操作部７）、印字機構部の印字ヘッド３ｄ、プラテンローラ３ｃやバックフィード用ローラ３６などを回転駆動するモータ３１、切断部１０４、ラベル剥離センサ１０５（ラベル剥離検出部）、ラベル搬送部２００（ラベル部分重畳搬送部）などの構成要素を統括的に制御する。制御部１１等の詳細な動作については後述する。
【００１９】
制御部１１は、通信部１２、記憶部１３、表示入力部５と電気的に接続されている。また、制御部１１は、通信インタフェース１４（通信Ｉ／Ｆ）を介して、印字ヘッド３ｄ、モータ３１、切断部１０４、ラベル剥離センサ１０５、ラベル搬送部２００に電気的に接続されている。
【００２０】
ラベル剥離センサ１０５（ラベル検出部）は、ラベル発行部３０のラベル発行口１０９から、ラベル発行方向下流側に所定距離だけ離れた位置に設けられており、台紙レスラベルを検出する。制御部１１は、ラベル検出部（ラベル剥離センサ１０５）による台紙レスラベルの検出結果に応じて、ラベル搬送部２００による台紙レスラベルの搬送の方向、搬送速度、タイミングの少なくとも何れか一方を制御する。
【００２１】
ラベル発行装置１の本体部１ａは、図５、図６（ａ）、図６（ｂ）に示したように、台紙レスラベル用紙６（連続用紙ともいう）をロール状にしたラベルロール６Ｒ、印字機構部３、カッタユニット４などを収容可能に構成されている。本実施形態では、表面側に印字面、その反対側の面に粘着面が位置するようにラベルロール６Ｒが形成されている。
【００２２】
また、図５、図６（ａ）、図６（ｂ）に示したように、ラベル発行装置１の本体部１ａは、ケース１ｂ、及び可動部１ｃを有する。本実施形態では、ケース１ｂの底部および可動部１ｃの下部に、スライド部材１ｓが設けられている。ラベル発行装置１は、ケース１ｂ内に収容された可動部１ｃを、スライド部材１ｓによりケース１ｂに対して引出し可能及び収容可能な構造となっている。
本実施形態では、ラベル搬送部２００は、図５等に示すように、ラベル発行装置１の本体部１ａの可動部１ｃの前面に固定部材２０９により固定されている。
【００２３】
可動部１ｃには、台紙レスラベル用紙６をロール状に巻回されたラベルロール６Ｒを収容するロール装填部が設けられている。ロール装填部は、ラベルロール６Ｒを回転自在に保持している。
【００２４】
可動部１ｃには、台紙レスラベル用紙６の繰り出し方向の前方位置に、印字機構部３が設けられている。ラベルロール６Ｒと印字機構部３の間には、ローラ３５やバックフィード用ローラ３６、ラベル支持部等が設けられている。ローラ３５とバックフィード用ローラ３６は、台紙レスラベル用紙６（連続用紙）を挟持する。バックフィード用ローラ３６は、モータ３１などにより駆動される。印字前に台紙レスラベル用紙６をバックフィードする場合、バックフィード用ローラ３６が逆回転することにより台紙レスラベル用紙６をバックフィードする。ローラ３５やバックフィード用ローラ３６には、通常、印字時に用紙搬送方向に台紙レスラベル用紙６を搬送する場合には、空転するようにワンウェイクラッチが設けられている。
印字機構部３は、プラテンローラ３ｃと、サーマルヘッドなどの印字ヘッド３ｄを有する。
【００２５】
印字ヘッド３ｄはラベル用紙をプラテンローラ３ｃ側に押圧するように構成されている。プラテンローラ３ｃは、モータにより回転駆動するように構成され、台紙レスラベル用紙６を安定して送出し得るように構成されている。プラテンローラ３ｃの表面には、台紙レスラベル用紙６に塗着されている粘着剤を付着させないように、剥離剤をコーティングするなどの表面処理を施している。尚、プラテンローラ３ｃ自体またはローラの最外周部分を易剥離性の部材で構成してもよい。
本実施形態では、図６（ａ）、図６（ｂ）に示したように、本体部１ａのケース１ｂから可動部１ｃを引き出した状態で、印字ヘッド３ｄやローラ３５等が本体部１ａ側に位置するように構成されている。
【００２６】
また、図６（ａ）に示したように、ラベルロール６Ｒから引き出された台紙レスラベル用紙６の下流側には、印字ヘッド３ｄとプラテンローラ３ｃとを有する印字機構部３が配置されている。印字機構部３の下流側には、台紙レスラベル用紙６を搬送路に沿って導くガイド部材１２１、１２２が設けられており、更に下流側近傍には切断部１０４（カッタ）が配置されている。切断部１０４は、固定刃４２と可動刃４１などを有し、カッタユニット４内に配置されている。長尺状の台紙レスラベル用紙６は、切断部１０４により切断されて枚葉状の台紙レスラベルとなる。
【００２７】
また、本実施形態では、ラベル切断装置としてのカッタユニット４は、プラテンローラ３ｃおよび印字ヘッド３ｄの下流側に配置されている。カッタユニット４は、カッタユニット保持部８に着脱自在に保持される構造となっている。カッタユニット保持部８は、ラベル発行装置１の本体部側、本実施形態では、本体部１ａに収容自在な可動部１ｃに固定されている。
【００２８】
カッタユニット４は、切断部１０４などを有する。カッタなどの切断部１０４は、可動刃４１、固定刃４２を有する。カッタユニット４は、切断部１０４の可動刃４１と固定刃４２により台紙レスラベル用紙６を、印字データの量に応じた長さに断裁するように構成されている。
【００２９】
カッタユニット４はカッタユニット保持部８に対して着脱自在に設けられている。
カッタユニット４は、略直方体形状に形成されており、内部に可動刃４１を収容している。カッタユニット４の直方体部内には、可動刃４１、その可動刃４１を駆動するためのモータなどの駆動機構（不図示）、可動刃４１の位置を検出する検出部（不図示）などが設けられている。また、カッタユニット４は、直方体部の下部から下方に延出した形状の固定刃保持部を有する。固定刃保持部には、矩形状の固定刃４２が設けられている。本実施形態では、可動刃４１の下端の刃先には、斜め刃が形成されている。尚、可動刃４１の刃先の形状は、この形態に限られるものではなく、Ｖ字形状、逆Ｖ字形状であってもよい。
【００３０】
カッタユニット４の直方体部と固定刃４２との間には、台紙レスラベルを排出するラベル発行口１０９が設けられている。カッタユニット４は、カッタユニット４の周縁部に形成された複数の係合部を有する。この係合部は、カッタユニット保持部の被係合部に係脱自在に構成されている。
【００３１】
また、切断部１０４の下流側には、ラベル検出センサとしてラベル剥離センサ１０５が配置されており（図５等参照）、印刷物である台紙レスラベルの有無を検出する。ラベル剥離センサ１０５は、例えば、赤外線、可視光線、レーザ光などの所定の光を発光する発光部や、ラベルに反射した反射光を受光する受光部（受光センサ）などにより構成されている。
【００３２】
本発明の実施形態に係るラベル発行装置１は、台紙レスラベル用紙を切断するカッタユニット４（切断部１０４）よりも下流側、且つ、ラベル発行口１０９の下流側の僅かに下方に、円柱形状のローラ２０８（ローラ状ラベル保持部）が設けられており、発行された台紙レスラベルが一時的に保持されるように形成されている。
【００３３】
また、本発明の実施形態に係るラベル発行装置１は、台紙レスラベル用紙を切断するカッタユニット４（切断部１０４）よりも下流側、且つ、ラベル発行口１０９の下流側に配置され、先に発行された印刷物である台紙レスラベルを保持、搬送するラベル搬送部２００を有する。
また、ラベル搬送部２００は、搬送面２００ｐの角度を調整可能に、固定部材２０９によりラベル発行装置の本体部に保持されている。傾斜面の角度は適宜設定可能である。本実施形態では、ラベル搬送部２００の搬送面２００ｐはラベル発行方向と水平又は略水平となるように設定されている。
【００３４】
次に、本発明の一実施形態に係るラベル発行装置１の動作の一例を、図８，９，１０等を参照しながら説明する。
【００３５】
ステップＳＴ１において、制御部１１は、表示入力部５などから、連続発行モードの設定を示す信号が入力された場合、連続発行モードが設定される。なお、表示入力部５などからの信号に応じて、台紙レスラベルの連続発行枚数、発行予定の台紙レスラベルのラベル長さ、台紙レスラベルのラベル発行枚数、台紙レスラベルの重なりのズレ量Ｌｃ（ラベルの重ならない量）（単位：ｍｍ）、などを、設定画面等から設定されてもよい。
なお、連続発行モードでない場合、制御部１１は、通常の１枚ずつ台紙レスラベルを発行する通常発行モードに設定し、１枚ずつ台紙レスラベルを発行する処理を行う。
【００３６】
ステップＳＴ２において、制御部１１は、台紙レスラベル用紙６（連続用紙）の先端部（切断部１０４（カッタ）による切断端部）が、印字ヘッド３ｄの位置に位置するように、ラベル用紙搬送方向に対して逆方向へ搬送する処理（バックフィードする処理）を行い、その位置で連続用紙の先端部が待機した状態となっている。制御部１１は、ラベル用紙搬送方向にラベル連続用紙を搬送しながら、印字ヘッド３ｄ（サーマルヘッド等）により商品情報などの印字項目の印字処理を行う。
【００３７】
ステップＳＴ３において、図８（ａ）に示すように、ラベル発行口１０９から台紙レスラベル用紙６（連続用紙）の先端部が排紙される。印字された台紙レスラベル用紙６（連続用紙）の先端部が、案内部２６０の傾斜部２６１に当接した後、案内部２６０により案内されて、ラベル搬送部２００の搬送面２００ｐ上へ案内される。
【００３８】
ステップＳＴ４において、制御部１１は、印字内容の量に応じて、連続用紙を用紙搬送方向に所定の長さとなるように、切断部１０４（カッタ）により切断して、枚葉状の台紙レスラベルＬ（Ｌｓ）を発行する処理を行う（図８（ｂ）を参照）。
枚葉状の台紙レスラベルＬ（Ｌｓ）の一部分は、円柱形状のローラ２０８（ローラ状ラベル保持部）により一時的に保持された後、ラベル搬送部２００の搬送面（載置面）上に載置される。
なお、制御部１１は、切断部により連続用紙を切断後直ぐに、台紙レスラベル用紙６（連続用紙）の先端部（切断部（カッタ）による切断端部）を、印字ヘッド３ｄの位置に位置するように、ラベル用紙搬送方向に対して逆方向へ搬送する処理（バックフィードする処理）を行ってもよい。
【００３９】
ステップＳＴ５において、ラベル搬送部２００の搬送面２００ｐ（載置部）に枚葉状の台紙レスラベルＬ（Ｌｓ）の先端部（下端部）が載置され、制御部１１は、ラベル搬送部２００により枚葉状の台紙レスラベル（Ｌｓ）をラベル搬送方向へ搬送する処理を行う（図８（ｂ）を参照）。
【００４０】
ステップＳＴ６において、ラベル発行口１０９の近傍（ラベル発行口からラベル排出方向へ所定距離だけ離れた位置）に設けられたラベル剥離センサ１０５（ラベル検出部）により、台紙レスラベルＬが剥離されたか否かを判別し、台紙レスラベルＬの剥離を検出した場合、ステップＳＴ７の処理に進む。
【００４１】
ステップＳＴ７において、制御部１１は、設定枚数の台紙レスラベルＬを発行したか否かを判別し、設定枚数の台紙レスラベルを発行していない場合に、ステップＳＴ８の処理に進む。また、制御部１１は、設定枚数の台紙レスラベルＬを発行した場合、又は表示入力部５からラベル発行停止指示を示す信号が入力された場合、ラベルの発行を停止する。なお、制御部１１は、ラベル搬送部２００に載置されている台紙レスラベルＬ（Ｌｓ）を停止させた状態としてもよいし、ラベル搬送方向に搬送する処理を行ってもよい。
【００４２】
ステップＳＴ８において、制御部１１は、ラベル発行部３０にて次のラベル発行する処理を行う。
【００４３】
ステップＳＴ９において、制御部１１は、ラベル搬送部２００に載置された台紙レスラベルＬ（Ｌｓ）の次に発行される台紙レスラベルの一部分（先端部からラベル搬送方向に所定長さの部分）が、ラベル搬送部２００上に最後に載置された台紙レスラベルＬ（Ｌｓ）に重なるように、ラベル搬送部２００上の台紙レスラベルＬ（Ｌｓ）を、ラベル搬送部２００により搬送する制御を行う（図８（ｃ）を参照）。本実施形態では、図８（ｃ）に示したように、ラベル搬送部２００は、台紙レスラベルＬ（Ｌｓ）をバックフィードする（ラベル搬送方向に対して逆方向に台紙レスラベルＬ（Ｌｓ）を搬送する）。
なお、ラベル搬送部２００による、台紙レスラベルＬ（Ｌｓ）のバックフィード量が大きい場合であっても、ラベル発行装置の本体部分（ケース側）の一部分に接触しないような構造、例えば、ラベル発行装置の本体部分（ケース側）に凹部、穴部、台紙レスラベルを下方へ屈曲させるラベル屈曲部等を設けて、バックフィードした台紙レスラベルＬ（Ｌｓ）がケースに当たらないような構造となっていてもよい。
ラベル搬送部２００上に最後に載置された台紙レスラベルＬ（Ｌｓ）に、次に発行される台紙レスラベルＬの一部分（先端部からラベル搬送方向に所定長さの部分）が重なる。
【００４４】
ステップＳＴ１０において、図８（ｄ）に示したように、制御部１１は、ラベル搬送部２００によりラベル搬送方向下流部へ台紙レスラベルＬ（Ｌｓ），Ｌを搬送する処理を行い、ステップＳＴ６の処理に進む。
上記ラベル発行処理を、設定された連続発行枚数となるまで行う。
【００４５】
図１０は本発明の一実施形態に係るラベル発行装置による、ラベル長方向（ラベル搬送方向）に所定距離だけずらして重ねられた複数枚の台紙レスラベルの一例を示す図である。
【００４６】
ラベル発行装置で発行された複数の台紙レスラベルＬは、ラベル搬送部の搬送面（載置面）上に、例えば図１０に示すように、台紙レスラベルＬがずれて重なった状態となっている。
台紙レスラベルＬは、ラベル搬送方向に沿った長さがラベル長Ｌａであり、直交する方向の長さがラベルの幅である。
図１０に示した例では、上に重なっている台紙レスラベルＬのほうが、下の台紙レスラベルよりも後に発行されている。上に重なっている台紙レスラベルＬと下に重なっている台紙レスラベルの重なっている部分の長さＬｂ（ラベル搬送方向に沿った長さ）や、台紙レスラベルの重ならない量（つまり、ラベルの重なりのズレ量Ｌｃ）は、ラベル搬送部２００によるラベル搬送方向（順方向、又は逆方向（バックフィード方向））、台紙レスラベルの搬送量、ラベル搬送部に載置されている台紙レスラベルの次にラベル発行部により発行される台紙レスラベルの発行タイミング、などにより適宜、調整可能である。
【００４７】
次に、ラベル発行装置の動作の一具体例を説明する。
ラベル発行装置は、ラベル搬送部２００の載置部（ラベル受け）上で、複数の台紙レスラベルを保持できるように、台紙レスラベルを重ね合わせることができ、台紙レスラベルの保持枚数が比較的多い。
【００４８】
ラベル発行装置は、カッタ位置（通常ラベル待機位置）からサーマルヘッド位置（印字ヘッドの位置）までバックフィードした後、印字を開始する。
次に、ラベル発行部３０のプラテンローラ３ｃの正転方向への送り出し開始から所定の間は、ラベル搬送部２００のコンベアをバックフィードさせる。バックフィード量を調整することで重なり量（または重ならない量）を調整する。
【００４９】
そして、ラベル発行部３０により、印字終了後、ラベル剥離センサ１０５による検出信号を確認し、検出信号がオフの場合は、巻き込みエラーとする。
【００５０】
なお、ラベル搬送部によるコンベアバックフィードのタイミングは、上述したタイミングに限られるものではなく、例えば、次のラベル発行があるならばいつでもよい。
【００５１】
以上、説明したように、本発明の実施形態に係るラベル発行装置１は、一方の面に粘着面、他方の面に印字面を有する台紙レスラベル用紙を送り出し、切断部により枚葉状に切断して台紙レスラベルを発行する。ラベル発行装置１は、枚葉状の台紙レスラベルをラベル発行口１０９から発行するラベル発行部（印字機構部３）と、ラベル発行口１０９から発行された台紙レスラベルを１つ又は複数載置可能に構成され、載置された台紙レスラベルをラベル搬送方向に搬送可能な搬送部（ラベル搬送部２００）と、搬送部（ラベル搬送部２００）に載置された台紙レスラベルの次に発行される台紙レスラベルの一部分が、搬送部（ラベル搬送部２００）上に最後に載置された台紙レスラベルに重なるように、搬送部（ラベル搬送部２００）上の台紙レスラベルを、搬送部（ラベル搬送部２００）により搬送する制御を行う制御部１１と、を有する。
すなわち、搬送部（ラベル搬送部２００）上に載置された台紙レスラベルの一部分に重なるように、次に発行されるラベルの一部分（下端部から所定距離の部分）が重なるように、制御部１１がラベル搬送部２００を制御することで、簡単な構造で、複数枚の台紙レスラベルをラベル長方向（ラベル搬送方向）に所定距離だけずらして重ねてラベル発行可能なラベル発行装置を提供することができる。
また、制御部１１は、ラベル搬送部２００のラベル搬送やラベル発行部（印字機構部３）のラベル発行を最適に制御することで、複数枚の台紙レスラベルをラベル長方向（ラベル搬送方向）に所定距離だけずらして、きれいに重ねてラベルを発行することができる。
【００５２】
また、重ねて発行された複数枚の台紙レスラベルをラベル発行装置の搬送部（ラベル搬送部２００）は台紙レスラベルの幅よりも狭い幅に設定されている場合、搬送部（ラベル搬送部２００）は台紙レスラベルを取り易い。
また、ラベル発行装置１により発行された複数枚の台紙レスラベルは、操作者（オペレータ）の指の幅程度、ずれて重畳した状態であるため、操作者（オペレータ）は、複数枚重畳された台紙レスラベルから、一枚一枚台紙レスラベルを短時間に容易に剥がすことができ、ラベル貼付対象物の商品等（物品）に高効率でラベルを貼付することができる。
【００５３】
また、本発明の実施形態に係るラベル発行装置１の制御部１１は、搬送部（ラベル搬送部２００）に載置された台紙レスラベルの次に発行される台紙レスラベルの一部分が、前記搬送部（ラベル搬送部２００）上に最後に載置された台紙レスラベルに重なるように、前記搬送部（ラベル搬送部２００）上の台紙レスラベルをラベル搬送方向に対して逆方向に搬送する制御を行う。
すなわち、簡単な構造で、複数枚の台紙レスラベルをラベル長方向（ラベル搬送方向）に所定距離だけずらして重ねてラベル発行可能なラベル発行装置を提供することができる。また、ラベル搬送部２００によるバックフィード量やタイミングに応じて、台紙レスラベルの重なり部分の距離を容易に調整することができる。
【００５４】
また、本発明の実施形態に係るラベル発行装置１の搬送部（ラベル搬送部２００）は、ラベル搬送方向の下流側端部に、載置されている台紙レスラベルを、搬送部（ラベル搬送部２００）の搬送面２００ｐから離間させる離間部２５０を有する。本実施形態では、離間部２５０は、搬送部（ラベル搬送部２００）の搬送面２００ｐよりも上方に突出した形状に形成されている。
すなわち、台紙レスラベルは下面が、ラベル搬送部２００の搬送面２００ｐに仮接着状態で搬送されており、本実施形態では、搬送部（ラベル搬送部２００）がベルトコンベアを採用しており、搬送部（ラベル搬送部２００）下流側端部から下方向に台紙レスラベルが巻き込まれることを、離間部２５０により容易に防止することができる。
また、所定距離だけずれて重畳した複数の台紙レスラベルは、比較的屈曲し難く、搬送部（ラベル搬送部２００）のラベル搬送方向下流側端部から、ラベル搬送方向下流側へ、ラベル約１〜７枚程度の長さだけ略水平に突出した状態で、ラベル搬送部２００により保持可能である。
【００５５】
また、本発明の実施形態に係るラベル発行装置１の搬送部（ラベル搬送部２００）の搬送面２００ｐの載置部は、ラベル発行部（印字機構部３）のラベル発行口１０９よりも下方に配置されている。また、ラベル発行部（印字機構部３）から排紙された台紙レスラベルを、搬送部（ラベル搬送部２００）の搬送面２００ｐ（載置部）に案内する案内部２６０を有する。
すなわち、簡単な構成の案内部２６０により、発行された台紙レスラベルを、搬送部（ラベル搬送部２００）の搬送面２００ｐ（載置部）へ案内することができる。
【００５６】
また、上記案内部２６０は、ラベル発行部（印字機構部３）のラベル発行口１０９からラベル発行方向に離れた位置に、ラベル発行口１０９と略同じ高さに位置する上端部からラベル搬送方向下流側へ下方に傾斜した傾斜部２６１と、傾斜部２６１の下端部から、前記搬送部のラベル搬送方向の下流側へ水平に延出した延出部２６２と、を有する。案内部２６０は、延出部２６２が搬送部（ラベル搬送部２００）に対して僅かに離間した状態で、当該延出部２６２及び傾斜部２６１が、ラベル搬送方向に直交する水平軸部２６５に回転自在に軸支されている。
すなわち、簡単な構造で、ラベル発行口１０９から排紙された台紙レスラベルを、搬送部（ラベル搬送部２００）の搬送面２００ｐ（載置部）へ案内することができる。また、ラベル発行口１０９から排紙された台紙レスラベルが、案内部２６０の傾斜部２６１を押圧することで、搬送部（ラベル搬送部２００）の搬送面２００ｐ（載置部）に載置されている台紙レスラベルの反りを、案内部２６０の延出部２６２の押圧により低減することができる。
なお、案内部２６０は、延出部２６２と、搬送部（ラベル搬送部２００）の搬送面２００ｐ（載置部）との間に、僅かに隙間ができるように構成されているので、台紙レスラベルの反りを低減させるとともに、台紙レスラベルの重なり部分を容易に仮着状態とすることができる。
【００５７】
また、本発明の実施形態に係るラベル発行装置１の制御部１１は、所定の条件に応じて、搬送部（ラベル搬送部２００）上の複数の台紙レスラベルの重畳部分の、ラベル搬送方向の距離を調整するように、搬送部（ラベル搬送部２００）による台紙レスラベルの搬送方向及び搬送速度を制御する。
すなわち、搬送部（ラベル搬送部２００）による、台紙レスラベルの搬送方向及び搬送速度を制御することで、容易に、複数の台紙レスラベルの重畳部分の、ラベル搬送方向の距離を最適に調整することができる。
また、上記所定の条件は、少なくとも、発行される台紙レスラベルのラベル長、台紙レスラベルの発行枚数、台紙レスラベルの重なりのズレ量Ｌｃ（ラベルの重ならない量）の何れかである。制御部１１は、発行される台紙レスラベルのラベル長や、台紙レスラベルの発行枚数、台紙レスラベルの重なりのズレ量Ｌｃ（ラベルの重ならない量）等に応じて、搬送部（ラベル搬送部２００）による、台紙レスラベルの搬送方向及び搬送速度を制御することで、容易に、複数の台紙レスラベルの重畳部分の、ラベル搬送方向の距離を最適に調整することができる。
【００５８】
また、本発明の実施形態に係るラベル発行装置１は、ラベル発行部（印字機構部３）のラベル発行口１０９から、ラベル発行方向下流側に所定距離だけ離れた位置に、台紙レスラベルを検出するラベル検出部（ラベル剥離センサ１０５）を有する。制御部１１は、ラベル検出部（ラベル剥離センサ１０５）による台紙レスラベルの検出結果に応じて、搬送部（ラベル搬送部２００）による台紙レスラベルの搬送の方向、搬送速度の少なくとも何れか一方を制御する。
すなわち、ラベル検出部（ラベル剥離センサ１０５）からの検出信号に基づいて、台紙レスラベルの搬送部（ラベル搬送部２００）による搬送方向や搬送速度、台紙レスラベルの発行タイミングなどを容易に高精度に制御することができ、簡単な構造で、複数枚の台紙レスラベルをラベル長方向（ラベル搬送方向）に所定距離だけずらして重ねてラベル発行可能なラベル発行装置を提供することができる。
【００５９】
以上、本発明の実施形態について図面を参照して詳述してきたが、具体的な構成はこれらの実施形態に限られるものではなく、本発明の要旨を逸脱しない範囲の設計の変更等があっても本発明に含まれる。
また、上述の各図で示した実施形態は、その目的及び構成等に特に矛盾や問題がない限り、互いの記載内容を組み合わせることが可能である。
また、各図の記載内容はそれぞれ独立した実施形態になり得るものであり、本発明の実施形態は各図を組み合わせた一つの実施形態に限定されるものではない。
【００６０】
また、上述した実施形態では、ラベル発行装置を例に説明したが、この形態に限られるものではない。例えば、本発明に係るラベル発行装置を、ＰＯＳレジスタ、プリンタを備えた包装装置、情報機器などに適用してもよい。
【符号の説明】
【００６１】
１…ラベル発行装置
３…印字機構部（ラベル発行部）
４…カッタユニット
６…台紙レスラベル用紙
６Ｒ…ラベルロール
１１…制御部（ＣＰＵ）
３０…ラベル発行部
４１…可動刃
４２…固定刃
１０４…切断部（ラベル発行部）
１０９…ラベル発行口
２００…ラベル搬送部
２００Ａ，２００Ｂ…ベルトコンベア
２００ｐ…搬送面（載置面）
２５０…離間部
２６０…案内部
２６１…傾斜部
２６２…延出部
Ｌ…台紙レスラベル
【図１】
2019171711.tif 000003
【図２】
2019171711.tif 000004
【図３】
2019171711.tif 000005
【図４】
2019171711.tif 000006
【図５】
2019171711.tif 000007
【図６】
2019171711.tif 000008
【図７】
2019171711.tif 000009
【図８】
2019171711.tif 000010
【図９】
2019171711.tif 000011
【図１０】
2019171711.tif 000012